(57)【要約】【課題】世間で話題となっている情報を取り扱う番組を高精度で効率的に検索することができる録画再生装置を提供する。【解決手段】インターネット３００から、検索数が上昇したワードである上昇ワードを取得する上昇ワード取得部１０６と、番組情報を記憶している番組情報データベース１０４から、上昇ワードを含む番組情報を検索する番組情報検索部１１２とを備える。【選択図】図２
2014075052.tif 000002
【特許請求の範囲】
【請求項１】
インターネットから、検索数が上昇したワードである上昇ワードを取得する上昇ワード取得部と、
番組情報を記憶している番組情報データベースから、前記上昇ワードを含む番組情報を検索する番組情報検索部と
を備える録画再生装置。
【請求項２】
前記番組情報データベースは、録画済の番組の番組情報を記憶している
請求項１記載の録画再生装置。
【請求項３】
前記番組情報データベースは、放送波から取得した電子番組表を記憶している
請求項１または２に記載の録画再生装置。
【請求項４】
前記上昇ワード取得部は、前記インターネットから、ランキングが上位のものから所定数の上昇ワードを取得する
請求項１〜３のいずれか１項に記載の録画再生装置。
【請求項５】
さらに、
前記上昇ワード取得部が取得した前記上昇ワードを検索ワードの候補として画面に表示し、ユーザによる検索ワードの選択入力を受け付ける検索ワード選択部を備え、
前記番組情報検索部は、前記番組情報データベースから、前記ユーザにより選択された前記検索ワードを含む番組情報を検索する
請求項１〜４のいずれか１項に記載の録画再生装置。
【請求項６】
さらに、
前記電子番組表の中からワードを抽出し、抽出した前記ワードのうち、第１期間における出現回数よりも、前記第１期間に後続する第２期間における出現回数が増加しているワードを、注目ワードとして取得する注目ワード取得部と、
前記上昇ワード取得部が取得した前記上昇ワードに前記注目ワード取得部が取得した前記注目ワードを作用させることにより得られるワードを検索ワードの候補として画面に表示し、ユーザによる検索ワードの選択入力を受け付ける検索ワード選択部とを備え、
前記番組情報検索部は、前記番組情報データベースから、前記ユーザにより選択された前記検索ワードを含む番組情報を検索する
請求項３記載の録画再生装置。
【請求項７】
前記注目ワード取得部は、前記電子番組表の中から抽出した前記ワードのうち、前記第１期間における出現回数に対する、前記第１期間から前記第２期間までの間の出現回数の増加の割合が所定閾値以上のワード、または前記割合が大きいものから所定個数のワードを、注目ワードとして取得する
請求項６記載の録画再生装置。
【請求項８】
前記検索ワード選択部は、前記上昇ワード取得部が取得した前記上昇ワードと前記注目ワード取得部が取得した前記注目ワードとの双方に共通して含まれるワードを、検索ワードの候補として前記画面に表示し、前記ユーザによる検索ワードの選択入力を受け付ける
請求項６または７に記載の録画再生装置。
【請求項９】
前記検索ワード選択部は、前記上昇ワード取得部が取得した前記上昇ワードと前記注目ワード取得部が取得した前記注目ワードとの双方を、検索ワードの候補として前記画面に表示し、前記ユーザによる検索ワードの選択入力を受け付ける
請求項６または７に記載の録画再生装置。
【請求項１０】
前記検索ワード選択部は、前記上昇ワード取得部が取得した前記上昇ワードから前記注目ワード取得部が取得した前記注目ワードを除外したワードを、検索ワードの候補として前記画面に表示し、前記ユーザによる検索ワードの選択入力を受け付ける
請求項６または７に記載の録画再生装置。
【請求項１１】
前記検索ワード選択部は、所定のワードを含まない前記検索ワードの候補を前記画面に表示し、前記ユーザによる検索ワードの選択入力を受け付ける
請求項６〜１０のいずれか１項に記載の録画再生装置。
【請求項１２】
前記検索ワード選択部は、さらに、前記番組情報検索部が検索した番組情報の件数が所定の番組数閾値以下であった場合には、前記上昇ワード取得部が取得する前記上昇ワードの個数を増加させることにより、前記検索ワードの候補の数を増加させる
請求項５〜１１のいずれか１項に記載の録画再生装置。
【請求項１３】
前記検索ワード選択部は、さらに、前記番組情報検索部が検索した番組情報の件数が所定の番組数閾値以下であった場合には、前記所定閾値を小さくする、または前記所定個数を大きくすることで前記注目ワード取得部が取得する前記注目ワードの個数を増加させることにより、前記検索ワードの候補の数を増加させる
請求項７記載の録画再生装置。
【請求項１４】
前記番組情報は、番組名と番組の説明とを含む
請求項１〜１３のいずれか１項に記載の録画再生装置。
【請求項１５】
コンピュータによる番組検索方法であって、
インターネットから、検索数が上昇したワードである上昇ワードを取得する上昇ワード取得ステップと、
番組情報を記憶している番組情報データベースから、前記上昇ワードを含む番組情報を検索する番組情報検索ステップと
を含む番組検索方法。
【発明の詳細な説明】
【技術分野】
【０００１】
本発明は、テレビ番組等の番組を検索する録画再生装置および番組検索方法に関し、特に、録画再生装置に記録された番組または今後放送される予定の番組を検索する録画再生装置および番組検索方法に関する。
【背景技術】
【０００２】
近年、ハードディスクレコーダなどの録画再生装置の普及により、ユーザは、テレビ番組等の番組の録画を容易に行うことができるようになっている。例えば、一週間分の全てのチャンネルの番組を録画することができる録画再生装置なども登場している。また、今後放送される予定の番組の一覧である電子番組表（Ｅｌｅｃｔｒｉｃ  Ｐｒｏｇｒａｍ  Ｇｕｉｄｅ：ＥＰＧ）も放送波を介して取得される。
【０００３】
従来、このような数多くの番組の中から、ユーザの興味を引く番組をユーザに提示することができる情報処理装置が提案されている（例えば、特許文献１参照）。この情報処理装置では、ＥＰＧに出現するワードのワード数の時間的な変化率に基づいて、ユーザの興味を引く番組を検索している。
【先行技術文献】
【特許文献】
【０００４】
【特許文献１】特開２０１０−２８５８５号公報
【発明の概要】
【発明が解決しようとする課題】
【０００５】
しかしながら、番組は放送局により作成されるため、放送される番組や番組の内容は、番組制作者の意図が反映されている。このため、ＥＰＧ内でワード数が変化したからといって、そのワードに対する番組が視聴者が興味を引く番組とは限らず、番組制作者と視聴者などのユーザとの間で、番組の興味に対する乖離が生じる場合がある。このため、ＥＰＧだけからでは必ずしも世間で話題になっている情報を取り扱っている番組が分からないという課題がある。
【０００６】
本発明は、上述の課題を解決するためになされたものであり、世間で話題となっている情報を取り扱う番組を高精度で効率的に検索することができる録画再生装置および番組検索方法を提供することを目的とする。
【課題を解決するための手段】
【０００７】
上記目的を達成するために、本発明の一態様に係る録画再生装置は、インターネットから、検索数が上昇したワードである上昇ワードを取得する上昇ワード取得部と、番組情報を記憶している番組情報データベースから、前記上昇ワードを含む番組情報を検索する番組情報検索部とを備える。
【０００８】
この構成によると、インターネットから取得した上昇ワードに基づいて、番組情報の検索を行っている。上昇ワードは、検索回数の多いワード、または検索回数の時間的な増加率が大きいワードである。このため、上昇ワードは、世間で話題となっている情報を示している。よって、上昇ワードに基づいた番組情報の検索を行うことで、世間で話題となっている情報を取り扱う番組を高精度で効率的に検索することができる。
【０００９】
例えば、前記番組情報データベースは、録画済の番組の番組情報を記憶していても良い。
【００１０】
この構成によると、録画済の番組の番組情報の中から、世間で話題となっている情報を取り扱う番組を高精度で効率的に検索することができる。
【００１１】
また、前記番組情報データベースは、放送波から取得した電子番組表を記憶していても良い。
【００１２】
この構成によると、電子番組表の中から、世間で話題となっている情報を取り扱う番組を高精度で効率的に検索することができる。
【００１３】
また、前記上昇ワード取得部は、前記インターネットから、ランキングが上位のものから所定数の上昇ワードを取得しても良い。
【００１４】
また、上述の録画再生装置は、さらに、前記上昇ワード取得部が取得した前記上昇ワードを検索ワードの候補として画面に表示し、ユーザによる検索ワードの選択入力を受け付ける検索ワード選択部を備え、前記番組情報検索部は、前記番組情報データベースから、前記ユーザにより選択された前記検索ワードを含む番組情報を検索しても良い。
【００１５】
また、上述の録画再生装置は、さらに、前記電子番組表の中からワードを抽出し、抽出した前記ワードのうち、第１期間における出現回数よりも、前記第１期間に後続する第２期間における出現回数が増加しているワードを、注目ワードとして取得する注目ワード取得部と、前記上昇ワード取得部が取得した前記上昇ワードに前記注目ワード取得部が取得した前記注目ワードを作用させることにより得られるワードを検索ワードの候補として画面に表示し、ユーザによる検索ワードの選択入力を受け付ける検索ワード選択部とを備え、前記番組情報検索部は、前記番組情報データベースから、前記ユーザにより選択された前記検索ワードを含む番組情報を検索しても良い。
【００１６】
この構成によると、電子番組表の中で出現回数が時間的に増加しているワードである注目ワードを考慮したうえで、番組を検索することができる。注目ワードは、番組制作者が注目している情報を表していると考えられるが、注目ワードを上昇ワードの補助的なワードとして用いることで、世間で話題となっている情報を取り扱う番組を高精度で効率的に検索することができる。
【００１７】
例えば、前記注目ワード取得部は、前記電子番組表の中から抽出した前記ワードのうち、前記第１期間における出現回数に対する、前記第１期間から前記第２期間までの間の出現回数の増加の割合が所定閾値以上のワード、または前記割合が大きいものから所定個数のワードを、注目ワードとして取得しても良い。
【００１８】
この構成によると、第１期間ではそれほど注目されていなかった番組であっても、その後の第２期間に急に注目された番組を高精度で効率的に検索することができる。
【００１９】
また、前記検索ワード選択部は、前記上昇ワード取得部が取得した前記上昇ワードと前記注目ワード取得部が取得した前記注目ワードとの双方に共通して含まれるワードを、検索ワードの候補として前記画面に表示し、前記ユーザによる検索ワードの選択入力を受け付けても良い。
【００２０】
この構成によると、検索ワードの候補は、上昇ワードと注目ワードの双方に共通して含まれるワードである。このため、検索ワードの候補を、世間で話題となっており、かつ番組制作者が注目しているワードに絞り込むことができる。このように、番組制作者の注目しているワードを加味した検索ワードの候補をユーザに提示することで、番組検索を行った際に番組が見つかる可能性を高めることができる。よって、世間で話題となっている情報を取り扱う番組を高精度で効率的に検索することができる。
【００２１】
また、前記検索ワード選択部は、前記上昇ワード取得部が取得した前記上昇ワードと前記注目ワード取得部が取得した前記注目ワードとの双方を、検索ワードの候補として前記画面に表示し、前記ユーザによる検索ワードの選択入力を受け付けても良い。
【００２２】
この構成によると、検索ワードの候補は、上昇ワードと注目ワードの双方である。つまり、上昇ワードには含まれないが、注目ワードには含まれるワードを検索ワードの候補としてユーザに提示することができる。上昇ワードであるからといって、必ずしもそれに関連する番組が放送されるとは限らない。このため、注目ワードを補助的に用いることで、検索ワードの取りこぼしを防ぎながら、世間で話題となっている情報を取り扱う番組を高精度で効率的に検索することができる。
【００２３】
また、前記検索ワード選択部は、前記上昇ワード取得部が取得した前記上昇ワードから前記注目ワード取得部が取得した前記注目ワードを除外したワードを、検索ワードの候補として前記画面に表示し、前記ユーザによる検索ワードの選択入力を受け付けても良い。
【００２４】
この構成によると、検索ワードの候補は、上昇ワードから注目ワードを除外したワードである。注目ワードは、番組制作者の興味を示していると考えられるため、意図的に番組制作者の興味を除外することができる。
【００２５】
また、前記検索ワード選択部は、所定のワードを含まない前記検索ワードの候補を前記画面に表示し、前記ユーザによる検索ワードの選択入力を受け付けても良い。
【００２６】
例えば、ニュース番組などは、毎日放送されている番組であるため、検索ワードに「ニュース」が含まれてしまうと、様々なニュース番組を検索してしまうことになる。また、そのようなワードは、世間で話題となっているとも考えにくい。このため、検索ワードの候補の中から、「ニュース」、「出演」、「情報」などの番組情報の中で頻出するワードを所定のワードとして除外することにより、話題性の高い検索ワードの候補をユーザに提示することができる。これにより、世間で話題となっている情報を取り扱う番組を高精度で効率的に検索することができる。
【００２７】
また、前記検索ワード選択部は、さらに、前記番組情報検索部が検索した番組情報の件数が所定の番組数閾値以下であった場合には、前記上昇ワード取得部が取得する前記上昇ワードの個数を増加させることにより、前記検索ワードの候補の数を増加させても良い。
【００２８】
この構成によると、検索ワードの内容を取り扱う番組が存在しなかった場合に、検索ワードの候補の数を増加させることができる。これにより、ユーザにさらなる検索ワードの選択を行わせることができ、世間で話題となっている情報を取り扱う番組の検索漏れを防ぐことができる。
【００２９】
また、前記検索ワード選択部は、さらに、前記番組情報検索部が検索した番組情報の件数が所定の番組数閾値以下であった場合には、前記所定閾値を小さくする、または前記所定個数を大きくすることで前記注目ワード取得部が取得する前記注目ワードの個数を増加させることにより、前記検索ワードの候補の数を増加させても良い。
【００３０】
この構成によると、検索ワードの内容を取り扱う番組が存在しなかった場合に、検索ワードの候補の数を増加させることができる。これにより、ユーザにさらなる検索ワードの選択を行わせることができ、世間で話題となっている情報を取り扱う番組の検索漏れを防ぐことができる。
【００３１】
また、前記番組情報は、番組名と番組の説明とを含んでも良い。
【００３２】
この構成によると、番組名のみならず、番組の説明をも対象として、検索ワードを含む番組情報を検索することができる。
【００３３】
なお、本発明は、このような特徴的な処理部を備える録画再生装置として実現することができるだけでなく、録画再生装置に含まれる特徴的な処理部が実行する処理をステップとする番組検索方法として実現することができる。また、録画再生装置に含まれる特徴的な処理部としてコンピュータを機能させるためのプログラムまたは番組検索方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００３４】
本発明によると、世間で話題となっている情報を取り扱う番組を高精度で効率的に検索することができる録画再生装置および番組検索方法を提供することができる。
【図面の簡単な説明】
【００３５】
【図１】本発明の実施の形態に係る録画再生装置と録画再生装置に接続されたテレビの外観図である。
【図２】録画再生装置の機能的な構成を示すブロック図である。
【図３】録画再生装置が実行する処理を示すフローチャートである。
【図４】上昇ワード取得処理（図３のＳ１）の詳細なフローチャートである。
【図５】選択された５つの上昇ワードの一例を示す図である。
【図６】注目ワード取得処理（図３のＳ２）の詳細なフローチャートである。
【図７】電子番組表の一例を示す図である。
【図８】カウントされたワードの出現回数の一例を示す図である。
【図９】検索ワードの候補として選択された５つの注目ワードの一例を示す図である。
【図１０】上昇ワード取得部が上昇ワード取得処理（図２のＳ１）で取得した上昇ワードと、注目ワード取得部が注目ワード取得処理（図２のＳ２）で取得した注目ワードとの包含関係を示す図である。
【図１１】検索ワードの候補として取得された８つのワードの、テレビの画面への表示例を示す図である。
【図１２】番組情報検索部が電子番組表から検索した番組情報の一例を示す図である。
【図１３】番組情報検索部が録画済番組情報から検索した番組情報の一例を示す図である。
【図１４】上昇ワード再取得処理（図２のＳ８）の詳細なフローチャートである。
【図１５】選択された１０個の上昇ワードのうちの一部の一例を示す図である。
【図１６】注目ワード再取得処理（図２のＳ９）の詳細なフローチャートである。
【図１７】検索ワードの候補として選択された１０個の注目ワードの一例を示す図である。
【図１８】上昇ワード取得部が上昇ワード取得処理（図２のＳ１）で取得した上昇ワードと、注目ワード取得部が注目ワード取得処理（図２のＳ２）で取得した注目ワードとの包含関係を示す図である。
【図１９】所定のワードを除いた検索ワードの候補の表示例を示す図である。
【図２０】本発明に必須の構成要素を備える録画再生装置の構成を示すブロック図である。
【図２１】録画再生装置が実行する必須の処理を示すフローチャートである。
【発明を実施するための形態】
【００３６】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００３７】
図１は、本発明の実施の形態に係る録画再生装置と録画再生装置に接続されたテレビの外観図である。
【００３８】
録画再生装置１００は、例えば、テレビ番組を記録するハードディスクレコーダまたはＢＤ（Ｂｌｕ−ｒａｙ  Ｄｉｓｃ（登録商標））レコーダなどである。録画再生装置１００は、録画再生装置１００に記録された番組または今後放送される予定の番組を検索する。
【００３９】
テレビ２００は、録画再生装置１００に録画された番組を表示する。
【００４０】
録画再生装置１００とテレビ２００とはケーブル１５０を介して接続されている。
【００４１】
図２は、録画再生装置１００の機能的な構成を示すブロック図である。
【００４２】
録画再生装置１００は、テレビチューナ１０２と、番組情報データベース１０４と、上昇ワード取得部１０６と、注目ワード取得部１０８と、検索ワード選択部１１０と、番組情報検索部１１２と、検索結果表示部１１４と、録画予約部１１６と、番組再生部１１８とを含む。
【００４３】
テレビチューナ１０２は、テレビ放送と放送波に含まれる電子番組表を受信する。
【００４４】
番組情報データベース１０４は、テレビチューナ１０２が受信した電子番組表１２１と、テレビチューナ１０２が受信したテレビ放送に含まれる番組のうち、既に録画された番組の番組情報である録画済番組情報１２２とを記憶している。番組情報データベース１０４は、例えば、ハードディスクドライブなどにより構成される。電子番組表１２１は、現在放送されている番組に関する番組情報およびこれから放送される予定の番組に関する番組情報を、番組ごとに含む最新の電子番組表１２１である。最新の電子番組表１２１を用いることにより、世間で話題となっている情報を取り扱う最新の番組を高精度で効率的に検索することができる。録画済番組情報１２２は、番組を録画する際に番組と共に記録された番組情報である。
【００４５】
上昇ワード取得部１０６は、インターネット３００に接続され、インターネット３００から、検索エンジンでの検索数が上昇したワードである上昇ワードを取得する。上昇ワードは、世間で話題となっている情報を示している。検索エンジンは、インターネット上で情報検索サービスを提供するためのプログラムまたはウェブサイトである。上昇ワード取得部１０６は、上昇ワードを検索エンジンから取得しても良いし、それ以外のウェブサイトから取得しても良い。
【００４６】
注目ワード取得部１０８は、番組情報データベース１０４に記憶されている電子番組表１２１の中からワードを抽出し、抽出したワードのうち、第１期間における出現回数よりも、第１期間に後続する第２期間における出現回数が増加しているワードを、注目ワードとして取得する。注目ワードは、番組制作者が注目している情報を表していると考えられる。
【００４７】
検索ワード選択部１１０は、上昇ワード取得部１０６が取得した上昇ワードを検索ワードの候補としてテレビ２００の画面に表示し、ユーザによる検索ワードの選択入力を受け付ける。また、検索ワード選択部１１０は、注目ワード取得部１０８が取得した注目ワードを検索ワードの候補としてテレビ２００の画面に表示し、ユーザによる検索ワードの選択入力を受け付ける。
【００４８】
番組情報検索部１１２は、電子番組表１２１または録画済番組情報１２２を記憶している番組情報データベース１０４から、上昇ワードを含む番組情報を検索する。より具体的には、番組情報検索部１１２は、番組情報データベース１０４から、ユーザにより選択された検索ワードを含む番組情報を検索する。
【００４９】
検索結果表示部１１４は、番組情報検索部１１２により検索された番組情報をテレビ２００の画面に表示する。
【００５０】
録画予約部１１６は、番組情報検索部１１２が電子番組表１２１から番組情報を検索した場合には、テレビ２００の画面に表示されている番組情報のうち、ユーザにより選択された番組情報の番組の録画を予約する。
【００５１】
番組再生部１１８は、番組情報検索部１１２が録画済番組情報１２２から番組情報を検索した場合には、テレビ２００の画面に表示されている番組情報のうち、ユーザによる選択された番組情報の番組を再生する。
【００５２】
以上のように構成された録画再生装置１００が実行する処理について、以下、具体例を挙げながら説明する。
【００５３】
図３は、録画再生装置１００が実行する処理を示すフローチャートである。
【００５４】
上昇ワード取得部１０６は、インターネット３００から、検索エンジンでの検索数が上昇したワードである上昇ワードを取得する（Ｓ１）。例えば、上昇ワード取得部１０６は、検索エンジンから、その検索エンジンで検索数が一定期間前に比べて増加しているワードである上昇ワードを取得する。
【００５５】
図４は、上昇ワード取得処理（図３のＳ１）の詳細なフローチャートである。
【００５６】
上昇ワード取得部１０６は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等の通信プロトコルに従い、インターネット３００上で情報検索サービスを提供する検索エンジンのサーバに接続する（Ｓ２１）。
【００５７】
上昇ワード取得部１０６は、検索エンジンから上昇ワードを取得する（Ｓ２２）。上昇ワードとは、例えば、検索エンジンのユーザが検索エンジンに入力したクエリ中に頻出するワード、または出現回数の時間的な増加率が大きいワードである。このような上昇ワードは、検索エンジンのサービスとして上昇ワード取得部１０６に提供される。なお、上昇ワードの定義は、検索エンジンによって策定される。
【００５８】
上昇ワード取得部１０６は、検索エンジンから取得した上昇ワードのうち、ランキングの上位５つを検索ワードの候補として選択する（Ｓ２３）。ランキングは、例えば、検索回数または検索回数の増加率に基づき決定される。図５は、選択された５つの上昇ワードの一例を示す図である。例えば、「マーモセット」、「ロンドンオリンピック」、「台風１４号」、「日本党」、「総裁選」などの上昇ワードが選択された。なお、上昇ワードの取得時に、図５に示すような上昇ワードの説明を合わせて取得することができる場合があるが、上昇ワードの説明は必ずしも取得する必要はない。ただし、上昇ワードの説明を取得し、検索ワードの候補と共に上昇ワードの説明をテレビ２００の画面に表示することにより、ユーザに検索ワードの候補の意味を理解させることができる。
【００５９】
再度図３を参照し、注目ワード取得部１０８は、番組情報データベース１０４に記憶されている電子番組表１２１の中からワードを抽出し、抽出したワードのうち、第１期間における出現回数よりも、第１期間に後続する第２期間における出現回数が増加しているワードを、注目ワードとして取得する（Ｓ２）。
【００６０】
図６は、注目ワード取得処理（図３のＳ２）の詳細なフローチャートである。
【００６１】
注目ワード取得部１０８は、テレビチューナ１０２が放送波から受信した電子番組表１２１を、番組情報データベース１０４から取得する（Ｓ３１）。図７は、電子番組表１２１の一例を示す図である。電子番組表１２１は、番組ごとに、番組ＩＤと、番組名と、チャンネルと、放送日時と、番組説明とを記憶している番組情報である。なお、番組説明は、番組内容とジャンルと出演者とを含む。ただし、電子番組表１２１の構成は一例であり、図７に示した例に限定されず、他の情報が含まれていても良いし、一部の情報が無くても良い。なお、番組情報データベース１０４に記憶されている録画済番組情報１２２も電子番組表１２１と同様のデータ構成を有する。
【００６２】
注目ワード取得部１０８は、電子番組表１２１に含まれる番組毎の番組情報を解析することにより、ワードを抽出する（Ｓ３２）。例えば、図７に示す電子番組表１２１の番組ＩＤ「Ｐ１」の番組情報からは、「政治」、「日本党」、「総裁選」、「記者会見」などのワードが抽出される。ワードの抽出は、例えば、公知の形態素解析技術等を用いることにより行われる。なお、注目ワード取得部１０８は、番組情報のうち「番組名」と「番組説明」の中からワードを抽出し、「番組ＩＤ」、「チャンネル」および「放送日時」からはワードを抽出しない。これにより、ユーザの興味外のワードを排除することができる。
【００６３】
注目ワード取得部１０８は、第１期間および第２期間のそれぞれにおけるワードの出現回数をカウントする（Ｓ３３）。第１期間または第２期間は、特定の１日であっても良いし、複数の日であっても良い。例えば、第１期間を昨日とし、第２期間を本日としても良い。また、第２期間を今日から７日後までの７日間とし、第１期間を７日前から昨日までの７日間としても良い。図８は、カウントされたワードの出現回数の一例を示す図である。抽出されたワードごとに、放送日時が第１期間に含まれる番組情報におけるワードの出現回数（第１期間出現回数）と、放送日時が第２期間に含まれる番組情報におけるワードの出現回数（第２期間出現回数）とが示されている。例えば、「日本党」というワードは、第１期間内の番組情報に２回出現し、第２期間内の番組情報に６回出現していることが分かる。
【００６４】
注目ワード取得部１０８は、抽出されたワードごとに、ワードの出現回数の増加率を算出する（Ｓ３４）。出現回数の増加率は、以下の式１により計算される。
【００６５】
出現回数の増加率（％）＝（第２期間出現回数−第１期間出現回数）
／第１期間出現回数×１００…（式１）
【００６６】
ただし、第１期間出現回数が０の場合には、出現回数の増加率（％）＝０とする。
【００６７】
図８に出現回数の一例を示す。ワード「総裁選」については、第１期間出現回数が「２」、第２期間出現回数が「１０」であることより、上記式１に数値を当てはめることにより、出現回数の増加率は、４００％と計算される。
【００６８】
注目ワード取得部１０８は、抽出したワードのうち、出現回数の増加率が大きいものから５つのワードを注目ワードとして選択し、選択した５つの注目ワードを、検索ワードの候補とする（Ｓ３５）。例えば、図８に示したワードのうち、出現回数の増加率が高いものから５つのワードを選択すると、図９に示す５つの注目ワードが、検索ワードの候補として選択される。
【００６９】
再度図３を参照して、検索ワード選択部１１０は、上昇ワード取得部１０６が取得した上昇ワードを検索ワードの候補としてテレビ２００の画面に表示する。また、検索ワード選択部１１０は、注目ワード取得部１０８が取得した注目ワードを検索ワードの候補としてテレビ２００の画面に表示する（Ｓ３）。図１０は、上昇ワード取得部１０６が上昇ワード取得処理（図２のＳ１）で取得した上昇ワードと、注目ワード取得部１０８が注目ワード取得処理（図２のＳ２）で取得した注目ワードとの包含関係を示す図である。図１０に示すように、上昇ワードとして５つのワードが取得され、注目ワードとして５つのワードが取得されている。このうち、ワード「日本党」、「総裁選」は、上昇ワードおよび注目ワードに共通するワードである。このため、検索ワードの候補としては、８つのワードが取得されたことになる。図１１は、検索ワードの候補として取得された８つのワードの、テレビ２００の画面への表示例を示す図である。同図に示すように、例えば、上昇ワードおよび注目ワードに共通するワードである「日本党」および「総裁選」を上位に表示するようにしても良い。共通ワードは、世間で話題となっており、かつ番組制作者が注目しているワードであるため、ユーザにとってより関心が高いワードであると思われる。このため、共通ワードを上位に表示することで、ユーザに効率的に検索ワードを選択させることができる。また、上昇ワードと注目ワードとでは、上昇ワードの方が世間の話題を反映していると考えることができるため、上昇ワードの方を上位に表示する。これにより、ユーザに効率的に検索ワードを選択させることができる。
【００７０】
検索ワード選択部１１０は、テレビ２００の画面に表示されている検索ワードの候補の中から、ユーザによる検索ワードの選択入力を受け付ける（Ｓ４）。例えば、図１１に示すテレビ２００の画面に表示されている８つの検索ワードの中から、ユーザがテレビ２００のリモコン（リモートコントローラ）を操作し、「日本党」の位置にカーソルを合わせ、決定キーを押すことにより、「日本党」の選択入力が行われる。
【００７１】
番組情報検索部１１２は、電子番組表１２１または録画済番組情報１２２を記憶している番組情報データベース１０４から、ユーザにより選択された検索ワードを含む番組情報を検索する（Ｓ５）。なお、番組情報検索部１１２が電子番組表１２１および録画済番組情報１２２のいずれを検索対象とするかについては、予め定められているものとする。ユーザが番組の録画予約を行う目的で録画再生装置１００を利用する場合には、番組情報検索部１１２は電子番組表１２１を検索対象とする。また、ユーザが録画番組の再生目的で録画再生装置１００を利用する場合には、番組情報検索部１１２は録画済番組情報１２２を検索対象とする。
【００７２】
検索結果表示部１１４は、番組情報検索部１１２により検索された番組情報をテレビ２００の画面に表示する（Ｓ６）。図１２は、番組情報検索部１１２が電子番組表１２１から検索した番組情報の一例を示す図である。本日の日付が９月１４日とすると、９月１４日以降に放送される番組の番組情報が画面に表示される。一方、図１３は、番組情報検索部１１２が録画済番組情報１２２から検索した番組情報の一例を示す図である。既に録画された番組の番組情報が画面に表示される。
【００７３】
このような番組情報の検索のための処理（Ｓ３〜Ｓ６）が、ユーザが所望する番組が得られるまで繰り返し実行される。ただし、いずれの検索キーワードを利用しても検索された番組情報の数が番組数閾値以下の場合、つまり検索された番組の数が所定の番組数閾値以下の場合には（Ｓ７でＹＥＳ）、上昇ワード取得部１０６は、インターネット３００上で情報検索サービスを提供する検索エンジンから、検索数が上昇したワードである上昇ワードを再取得する（Ｓ８）。また、注目ワード取得部１０８は、番組情報データベース１０４に記憶されている電子番組表１２１の中から、注目ワードを再取得する（Ｓ９）。なお、上述の番組数閾値は、０であっても良いし、１以上の値であっても良い。
【００７４】
図１４は、上昇ワード再取得処理（図２のＳ８）の詳細なフローチャートである。Ｓ２１およびＳ２２の処理は、図４に示したＳ２１およびＳ２２の処理と同じであるため、その詳細な説明はここでは繰り返さない。上昇ワード取得部１０６は、検索エンジンから取得した上昇ワードのうち、ランキングの上位１０個を検索ワードの候補として選択する（Ｓ４１）。ランキングは、図４のＳ２３の処理と同様、例えば、検索回数または検索回数の増加率に基づき決定される。図１５は、選択された１０個の上昇ワードのうちの一部の一例を示す図である。図４に示したＳ２３の処理では５つの検索ワードの候補を選択したのに対し、Ｓ４１の処理では１０個の検索ワードの候補を選択する点で異なる。
【００７５】
図１６は、注目ワード再取得処理（図２のＳ９）の詳細なフローチャートである。Ｓ３１〜Ｓ３４の処理は、図６に示したＳ３１〜Ｓ３４の処理と同じであるため、その詳細な説明はここでは繰り返さない。注目ワード取得部１０８は、抽出したワードのうち、出現回数の増加率が大きいものから１０個のワードを注目ワードとして選択し、選択した１０個の注目ワードを、検索ワードの候補とする（Ｓ５１）。例えば、図８に示したワードのうち、出現回数の増加率が高いものから１０個のワードを選択すると、図１７に示す１０個の注目ワードが、検索ワードの候補として選択される。なお、図１７では、１０個のワードの位置の一部を省略して示している。図６に示したＳ３５の処理では５つの検索ワードの候補を選択したのに対し、Ｓ５１の処理では１０個の検索ワードの候補を選択する点で異なる。
【００７６】
再度図３を参照して、上昇ワード再取得処理（図２のＳ８）および注目ワード再取得処理（図２のＳ９）により取得された検索ワードの候補に対して、Ｓ３以降の処理が実行される。
【００７７】
なお、検索された番組情報の数が番組数閾値よりも大きい場合には（Ｓ７でＮＯ）、上述したように図１２または図１３に示すような表示がテレビ２００の画面上に行われることになるが、図１２に示す画面上でユーザがテレビ２００のリモコンを操作し、いずれかの番組情報を選択すると（Ｓ１０でＹＥＳ）、録画予約部１１６は、選択された番組情報の番組の録画を予約する（Ｓ１１）。また、図１３に示す画面上でユーザがテレビ２００のリモコンを操作し、いずれかの番組情報を選択すると（Ｓ１２でＹＥＳ）、番組再生部１１８は、選択された番組情報の番組を再生する（Ｓ１３）。
【００７８】
以上説明したように、本実施の形態によると、検索エンジンから取得した上昇ワードに基づいて、番組情報の検索を行っている。上昇ワードは、検索回数の多いワード、または検索回数の時間的な増加率が大きいワードである。このため、上昇ワードは、世間で話題となっている情報を示している。よって、上昇ワードに基づいた番組情報の検索を行うことで、世間で話題となっている情報を取り扱う番組を高精度で効率的に検索することができる。
【００７９】
また、電子番組表の中で出現回数が時間的に増加しているワードである注目ワードを用いて、番組を検索することができる。注目ワードは、番組制作者が注目している情報を表していると考えられるが、注目ワードを上昇ワードの補助的なワードとして用いることで、世間で話題となっている情報を取り扱う番組を高精度で効率的に検索することができる。例えば、第１期間ではそれほど注目されていなかった番組であっても、その後の第２期間に急に注目された番組を高精度で効率的に検索することができる。
【００８０】
また、検索ワードの候補は、上昇ワードと注目ワードの双方である。つまり、上昇ワードには含まれないが、注目ワードには含まれるワードを検索ワードの候補としてユーザに提示することができる。上昇ワードであるからといって、必ずしもそれに関連する番組が放送されるとは限らない。このため、注目ワードを補助的に用いることで、検索ワードの取りこぼしを防ぎながら、世間で話題となっている情報を取り扱う番組を高精度で効率的に検索することができる。
【００８１】
また、検索ワードの内容を取り扱う番組が存在しなかった場合に、上昇ワード再取得処理（図３のＳ８）または注目ワード再取得処理（図３のＳ９）を実行することで、検索ワードの候補の数を増加させることができる。これにより、ユーザにさらなる検索ワードの選択を行わせることができ、世間で話題となっている情報を取り扱う番組の検索漏れを防ぐことができる。
【００８２】
また、番組名のみならず、番組の説明をも対象として、検索ワードを含む番組情報を検索することができる。
【００８３】
以上、本発明の実施の形態に係る録画再生装置について説明したが、本発明は、この実施の形態に限定されるものではない。
【００８４】
例えば、検索ワード選択部１１０は、検索ワードの候補表示処理（Ｓ３）において、上昇ワード取得部１０６が取得した上昇ワードと注目ワード取得部１０８が取得した注目ワードとの双方を、検索ワードの候補としてテレビ２００の画面に表示したが、表示する検索ワードの候補はこれに限定されない。例えば、検索ワード選択部１１０は、上昇ワード取得部１０６が取得した上昇ワードと注目ワード取得部１０８が取得した注目ワードとの双方に共通して含まれるワードを、検索ワードの候補としてテレビ２００の画面に表示しても良い。図１８は、上昇ワード取得部１０６が上昇ワード取得処理（図２のＳ１）で取得した上昇ワードと、注目ワード取得部１０８が注目ワード取得処理（図２のＳ２）で取得した注目ワードとの包含関係を示す図である。図１８に示すように、上昇ワードと注目ワードの双方に共通して含まれるワードである「日本党」および「総裁選」を検索ワードの候補としてテレビ２００の画面に表示しても良い。これにより、検索ワードの候補を、世間で話題となっており、かつ番組制作者が注目しているワードに絞り込むことができる。このように、番組制作者の注目しているワードを加味した検索ワードの候補をユーザに提示することで、番組検索を行った際に番組が見つかる可能性を高めることができる。よって、世間で話題となっている情報を取り扱う番組を高精度で効率的に検索することができる。
【００８５】
また、上昇ワードから注目ワードを除外したワードである「マーモセット」、「ロンドンオリンピック」および「台風１４号」を検索ワードの候補としてテレビ２００の画面に表示しても良い。注目ワードは、番組制作者の興味を示していると考えられるため、このように検索ワードの候補を決定することにより、意図的に番組制作者の興味を除外することができる。
【００８６】
また、検索ワード選択部１１０は、検索ワードの候補表示処理（Ｓ３）において、上昇ワードと注目ワードの中から所定のワードを除外したものを検索ワードの候補として、テレビ２００の画面に表示するようにしても良い。例えば、所定のワードとして「記者会見」が予め定められているものとする。この場合、図１９に示すように「記者会見」を除外した検索ワードの候補が表示される。例えば、ニュース番組などは、毎日放送されている番組であるため、検索ワードに「ニュース」が含まれてしまうと、様々なニュース番組を検索してしまうことになる。また、そのようなワードは、世間で話題となっているとも考えにくい。このため、検索ワードの候補の中から、「ニュース」、「出演」、「情報」、「記者会見」などの番組情報の中で頻出するワードを所定のワードとして除外することにより、話題性の高い検索ワードの候補をユーザに提示することができる。これにより、世間で話題となっている情報を取り扱う番組を高精度で効率的に検索することができる。
【００８７】
また、上述の実施の形態では、番組録画予約または録画番組再生をために番組情報の検索を行ったが、それ以外の目的のために番組情報の検索を行っても良い。例えば、番組の視聴予約のために番組情報の検索を行っても良い。
【００８８】
また、録画再生装置１００が検索対象とする番組は、テレビ番組に限定されず、ラジオ番組であっても良い。また、放送番組に限定されず、オンデマンド配信、リアルタイム配信またはストリーム配信などのようにネットワーク配信される番組であっても良い。
【００８９】
また、上述の実施の形態では、録画再生装置１００は、ハードディスクレコーダまたはＢＤレコーダなどであるとしたが、これに限定されるものではない。例えば、録画再生装置１００が備える番組検索に関する機能が録画再生装置１００とは別に設けられていても良い。つまり、本発明は、録画再生装置に録画された番組、または今後放送される予定の番組を検索する専用の装置として実現されても良い。また、録画再生装置１００は、録画再生機能が備えられたテレビであっても良い。
【００９０】
図２０は、本発明に必須の構成要素を備える録画再生装置１００の構成を示すブロック図である。つまり、録画再生装置１００は、番組情報データベース１０４と、上昇ワード取得部１０６と、番組情報検索部１１２とを最低限備えていれば良く、それ以外の構成は必ずしも備えられていなくても良い。また、図２１は、録画再生装置１００が実行する必須の処理を示すフローチャートである。録画再生装置１００は、図３に示した録画再生装置１００が実行する処理のうち、Ｓ１およびＳ５の処理を最低限実行すれば良く、それ以外の処理は必ずしも実行されなくても良い。
【００９１】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【００９２】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【００９３】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【００９４】
また、本発明は、上記に示す方法であるとしても良い。また、本発明は、これらの方法をコンピュータにより実現するコンピュータプログラムであるとしても良いし、前記コンピュータプログラムからなるデジタル信号であるとしても良い。
【００９５】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなどに記録したものとしても良い。また、これらの非一時的な記録媒体に記録されている上記デジタル信号であるとしても良い。
【００９６】
また、本発明は、上記コンピュータプログラムまたは上記デジタル信号を、電気通信回線、無線または有線通信回線、インターネットを代表とするネットワーク、データ放送等を経由して伝送するものとしても良い。
【００９７】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【００９８】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【００９９】
さらに、上記実施の形態及び上記変形例をそれぞれ組み合わせるとしても良い。
【産業上の利用可能性】
【０１００】
本発明は、録画再生装置に適用でき、特に、録画された番組を検索する録画再生装置、ユーザが視聴する番組を予約するテレビ等に適用できる。
【符号の説明】
【０１０１】
１００  録画再生装置
１０２  テレビチューナ
１０４  番組情報データベース
１０６  上昇ワード取得部
１０８  注目ワード取得部
１１０  検索ワード選択部
１１２  番組情報検索部
１１４  検索結果表示部
１１６  録画予約部
１１８  番組再生部
１２１  電子番組表
１２２  録画済番組情報
１５０  ケーブル
２００  テレビ
３００  インターネット
【図１】
2014075052.tif 000003
【図２】
2014075052.tif 000004
【図３】
2014075052.tif 000005
【図４】
2014075052.tif 000006
【図５】
2014075052.tif 000007
【図６】
2014075052.tif 000008
【図７】
2014075052.tif 000009
【図８】
2014075052.tif 000010
【図９】
2014075052.tif 000011
【図１０】
2014075052.tif 000012
【図１１】
2014075052.tif 000013
【図１２】
2014075052.tif 000014
【図１３】
2014075052.tif 000015
【図１４】
2014075052.tif 000016
【図１５】
2014075052.tif 000017
【図１６】
2014075052.tif 000018
【図１７】
2014075052.tif 000019
【図１８】
2014075052.tif 000020
【図１９】
2014075052.tif 000021
【図２０】
2014075052.tif 000022
【図２１】
2014075052.tif 000023